(57)【要約】【課題】人員に負担をかけることなく、十分な作業領域を確保でき、また水滴の浸入を防止する効果も十分得られる防雨具を提供することを目的とする。【解決手段】地中配電用機器２に対する作業において降雨等の悪影響を防ぐための地中配電用機器作業用防雨具１であって、非浸水性のシート６と、前記地中配電用機器２に固定され、前記シート６を前記地中配電用機器２の上部又は上部付近から懸架させる懸架手段５と、所定の重量を有し、前記シート６の懸架される部分に固定される押さえ手段７ａ，７ｂとを具備する。前記懸架手段５は、前記地中配電用機器２に固定される固定部材１０と、前記固定部材１０と摺動可能に連結される可動部材１１とを有して構成される。【選択図】図１
2008206380.tif 000002
【特許請求の範囲】
【請求項１】
地中配電用機器に対する作業において降雨等の悪影響を防ぐための地中配電用機器作業用防雨具であって、
非浸水性のシートと、
前記地中配電用機器に固定され、前記シートを前記地中配電用機器の上部又は上部付近から懸架させる懸架手段と、
所定の重量を有し、前記シートの懸架される部分に固定される押さえ手段と、
を具備することを特徴とする地中配電用機器作業用防雨具。
【請求項２】
前記懸架手段は、
前記地中配電用機器に固定される固定部材と、
前記固定部材と摺動可能に連結される可動部材と、
を有して構成されることを特徴とする請求項１記載の地中配電用機器作業用防雨具。
【請求項３】
前記懸架手段は、前記地中配電用機器の上部に既設されたアイボルトを利用して固定されることを特徴とする請求項１又は２記載の地中配電用機器作業用防雨具。
【請求項４】
前記固定部材は、前記地中配電用機器から作業領域側へ延出する延出部を有し、
前記延出部には、照明手段が設けられていることを特徴とする請求項２又は３記載の地中配電用機器作業用防雨具。
【請求項５】
前記押さえ手段は、前記シートの対面する両端部に固定された棒状の部材であることを特徴とする請求項１〜４のいずれか１つに記載の地中配電用機器作業用防雨具。
【発明の詳細な説明】
【技術分野】
【０００１】
本発明は、地中配電線路の切替等を可能にする機器を収納する地中配電用機器に対して行われる保守点検等の作業時において、その作業領域を降雨、降雪等から保護するための防雨具に関するものである。
【背景技術】
【０００２】
路上において、地中配電線路の切替等を可能にする機器を収納する様々な形態の地中配電用機器が設置されている（例えば特許文献１参照）。この地中配電用機器に対しては、人員によって保守点検等の作業がなされているが、降雨時等においてこのような作業する際には、機器内への水滴の浸入を防ぐための多大な配慮が必要となっている。
【０００３】
現状における上記のような防雨対策としては、同行した複数の作業員が傘をさしたり、ビニールシートを地中配電用機器と作業中の作業員とを覆うように手で支持したりすることが主に行われている。
【特許文献１】特開平１１−１４６５１０号公報
【発明の開示】
【発明が解決しようとする課題】
【０００４】
しかしながら、上記のような現状における防雨対策では、人員に負担がかかるだけでなく、実際に作業を行う者の十分な作業領域を確保することができず、また機器内への水滴の浸入を防止する効果も薄いという問題がある。
【０００５】
そこで、本発明は、人員に負担をかけることなく、十分な作業領域を確保でき、また水滴の浸入を防止する効果も十分得られる防雨具を提供することを目的とする。
【課題を解決するための手段】
【０００６】
上記課題の解決を図る本発明は、地中配電用機器に対する作業において降雨等の悪影響を防ぐための地中配電用機器作業用防雨具であって、非浸水性のシートと、前記地中配電用機器に固定され、前記シートを前記地中配電用機器の上部又は上部付近から懸架する懸架手段と、所定の重量を有し、前記シートの懸架される部分に固定される押さえ手段とを具備することを特徴とするものである（請求項１）。
【０００７】
この構成によれば、先ず懸架手段を地中配電用機器に固定し、この懸架手段にシートを懸架し、シートの一部を押さえ手段により地上に固定することにより、地中配電用機器に対して作業する際の作業領域を、簡便且つ確実にシートで覆うことが可能となり、機器への水滴の浸入の確実な防止と、作業性の向上とを図ることができる。
【０００８】
また、上記請求項１記載の構成において、前記懸架手段は、前記地中配電用機器に固定される固定部材と、前記固定部材と摺動可能に連結される可動部材とを有して構成されることが好ましい（請求項２）。
【０００９】
この構成により、使用時にはシートで覆う範囲を作業領域に合わせて調節することができると共に、収納時にはコンパクトな形状にすることができる。
【００１０】
また、上記請求項１又は２記載の構成において、前記懸架手段は、前記地中配電用機器の上部に既設されたアイボルトを利用して固定されることが好ましい（請求項３）。
【００１１】
これにより、構成部品の削減や形状の簡素化等を図ることができる。
【００１２】
また、上記請求項１〜３のいずれか１つに記載の構成において、前記固定部材は、前記地中配電用機器から作業領域側へ延出する延出部を有し、前記延出部には、照明手段が設けられていることが好ましい（請求項４）。
【００１３】
これにより、夜間等の作業性を向上させることができる。
【００１４】
また、上記請求項１〜４のいずれか１つに記載の構成において、前記押さえ手段は、前記シートの対面する両端部に固定された棒状の部材であることが好ましい（請求項５）。
【００１５】
この構成により、使用時には風等によるシートのはためきを押さえることができると共に、収納時にはこの押さえ手段にシートを巻き付けてコンパクトな状態にすることができる。
【発明の効果】
【００１６】
以上のように、本発明によれば、地中配電用機器に対して作業する際の作業領域を、簡便且つ確実にシートで覆うことが可能となり、機器への水滴の浸入の確実な防止と、作業性の向上とを図ることができる。また、懸架手段を固定部材と可動部材とにより構成したことにより、使用時にはシートで覆う範囲を作業領域に合わせて調節することができると共に、収納時にはコンパクトな形状にすることができる。更に、懸架手段の固定を、一般的な地中配電用機器に既設されているアイボルトを利用して行うことにより、構成部品の削減や形状の簡素化等を図ることができる。更にまた、懸架手段の延出部に照明手段を設けたことにより、夜間等の作業性を向上させることができる。また、シートの対面する両端部に棒状の押さえ手段を設けたことにより、使用時には風等によるシートのはためきを押さえることができると共に、収納時にはこの押さえ手段にシートを巻き付けてコンパクトな状態にすることができる。
【発明を実施するための最良の形態】
【００１７】
以下、添付した図面を参照して本発明の実施例を説明する。図１において、本実施例に係る地中配電用機器作業用防雨具（以下、防雨具と略記する）１の使用状態が示されている。この防雨具１は、地中配電用機器２（内部構造は省略されている）に対して整備等の作業をする際の作業領域Ｓを、上面及び側面側からシート状の部材で囲うことにより、作業員を降雨、降雪等から守るためのものである。
【００１８】
防雨具１は、懸架手段５、シート６、押さえ手段７ａ，７ｂを有して構成される。懸架手段５は、地中配電用機器２に固定され、シート６を懸架するための部材である。シート６は、非浸水性の素材からなり、透明のビニール材等が好適に用いられ、懸架手段５に掛けられて固定される。押さえ手段７ａ，７ｂは、シート６の両端にそれぞれ固定された棒状の部材であり、シート６を押さえる重りの役割と、不使用時にシート６を巻き付けて収納する役割とを奏するものである。
【００１９】
懸架手段５は、図２に示すように、固定部材１０及び可動部材１１を有して構成される。固定部材１０は、配電用機器２に固定される板状の部材であり、アイボルト用通孔１４、切欠き１６、ＬＥＤライト１７、スイッチ１８、電池ボックス１９が設けられている。固定部材１０は、地中配電用機器２に一般的に常設されているアイボルト１５をアイボルト用通孔１４に挿通させることにより、配電用機器２の天板２２（図１参照）に固定される。切欠き１６は、固定部材１０の略中央部からアイボルト１５が配される側とは反対側の端部まで形成されている。ＬＥＤライト１７は、固定部材１０の裏面（設置時に地表を向く面）側に設置され、同様に固定部材１０の裏面に設置された電池ボックス１９内の電池を電源として、スイッチ１８の操作によりＯＮ／ＯＦＦされる。また、固定部材１０は、配電用機器２の天板２２と接する天板固定部２５と、天板２２と接することなく配電用機器２の前面（配電用機器２の扉２３）側に延出される延出部２６とに区画される。天板固定部２５には、２つのアイボルト１５が配置され、その長さＡは、一般的な配電用機器２の奥行きである４５０ｍｍ程度であることが好ましい。延出部２６には、切欠き１６、ＬＥＤライト１７、スイッチ１８、電池ボックス１９が配置され、その長さＢは５００ｍｍ程度であることが好ましい。
【００２０】
可動部材１１は、固定部材１０の延出部２６と摺動可能に連結する板状の部材であり、切欠き２９が形成されている。この可動部材１１及び固定部材１０の連結は、それぞれの切欠き２９，１６を共に貫通するように配された固定ピン３０等の固定手段により、可動部材１１の上面側及び固定部材１０の下面側から締め付けられることによりなされている。使用時には、可動部材１１を固定部材１０の端部３１から作業領域Ｓ（図１参照）に対応する長さだけ延出させて固定ピン３０により固定する。収納時には、可動部材１１をリングナット１５にできるだけ近づけて固定ピン３０により固定する。可動部材１１の長さＣは、５００ｍｍ程度であることが好ましい。
【００２１】
図３において、シート６の裏（設置時に地表を向く側の）面の構造が示されている。このシート６の裏面には、マジックテープ（登録商標）等の固定手段３５ａ，３５ｂが設けられている。一方の固定手段３５ａは、略Ｓ字状に湾曲した形状の帯部材３６の一端側３７ａに設けられ、該帯部材３６の他端側３７ｂはシート６の裏面に固定され、一端側３７ａは自由状態となっている。他方の固定手段３５ｂは、シート６の裏面に固定されている。設置時には、図３中一点鎖線で示す部分を、前記懸架手段５（図２参照）の可動部材１１及び固定部材１０の延出部２６に掛け、これらの部材１１，１０を帯部材３６で巻き付けるようにして両固定手段３５ａ，３５ｂを固着させる。
【００２２】
また、シート６の両端部には、図１に示すように、押さえ手段７ａ，７ｂが固定されている。この押さえ手段７ａ，７ｂは、円柱形状の部材であり、設置時にシート６が風ではためくのを押さえるために所定の重量が与えられている。一方の押さえ手段７ａには、２本のベルト４１及びハンドル４２が設けられており、各ベルト４１の先端部には、マジックテープ（登録商標）等の固定手段４３が設けられている。他方の押さえ手段７ｂには、これらの部材４１，４２が設けられていない。収納時には、シート６を他方の押さえ手段７ｂに、一方の押さえ手段７ａに接触するまで巻き付けた後、ベルト４１により両押さえ手段７ａ，７ｂを巻き付けることにより、シート６と押さえ手段７ａ，７ｂはコンパクトに収納され、ハンドル４２によって運搬しやすい状態となる。
【００２３】
上記構成の防雨具１により、図１に示すように、配電用機器２に対して作業する際の作業領域Ｓを、シート６で覆うことが可能となり、配電用機器２内への水滴の浸入の確実な防止と、作業性の向上とを図ることができる。本実施例に係る構成によれば、固定部材１０の延出部２６の長さＢ及び可動部材１１の長さＣ（図２参照）がそれぞれ５００ｍｍ程度確保されているので、配電用機器２から最大１ｍ程度の離れた作業領域Ｓまでカバーすることができる。また、図２に示すように、懸架手段５の延出部２６にＬＥＤライト１７が設けられていることにより、夜間等の作業性を向上させることができる。更に、懸架手段５を固定部材１０と可動部材１１とにより構成したことにより、使用時には作業領域Ｓに合わせた長さにすることができると共に、収納時にはコンパクトにすることができる。更にまた、シート６の両端部に棒状の押さえ手段７ａ，７ｂを設けたことにより、使用時には風等によるシート６のはためきを押さえることができると共に、収納時にはこの押さえ手段７ａ，７ｂにシート６を巻き付けてコンパクトにすることができる。また、使用時において、シート６に「作業中」等と記載された看板やシール等の標識４５を貼付することにより、通行人等に対して注意等を促すことができる。
【図面の簡単な説明】
【００２４】
【図１】本実施例に係る地中配電用機器作業用防雨具の使用状態を示す斜視図である。
【図２】懸架手段の構造を示す斜視図である。
【図３】シートの裏面の構造を示す図である。
【符号の説明】
【００２５】
１  地中配電用機器作業用防雨具（防雨具）
２  地中配電用機器
５  懸架手段
６  シート
７ａ，７ｂ  押さえ手段
１０  固定部材
１１  可動部材
１４  アイボルト用通孔
１５  アイボルト
１７  ＬＥＤライト（照明手段）
Ｓ  作業領域
【図１】
2008206380.tif 000003
【図２】
2008206380.tif 000004
【図３】
2008206380.tif 000005